(57)【要約】【課題】納付書を介した窓口収納の処理を効率化し、作業ミス等の不具合を抑制する。【解決手段】情報処理装置１００が、窓口収納用の納付書に印字された所定コードのリーダー２００と通信し複数納付書に関する各コードデータを取得し、各コードデータが示す少なくとも収納金額と収納先の各情報を記憶部１０１に格納する処理と、所定の入力手段を介し受け付けた納付書の提出者に関する識別情報をキーに、ネットワーク上に存在する口座情報の管理装置３００にて、前記提出者に関する口座情報を取得して、該当口座を出金口座とし、記憶部１０１における前記収納金額の合計値を入金額とした所定口座への収納処理を、ネットワーク上に存在する勘定系システム３２０に指示する処理と、前記勘定系システム３２０における前記収納処理の終了後、記憶部１０１に格納している各収納先の情報に基づいて、対応する収納機関の口座への前記所定口座からの該当収納金額に関する付け替えを行う処理を実行する。【選択図】図１
2014026342.tif 000002
【特許請求の範囲】
【請求項１】
他装置と通信する通信部と、
窓口収納用の納付書に印字された所定コードのリーダーと通信して、該リーダーが読み取った複数納付書に関する各コードデータを取得し、各コードデータが示す少なくとも収納金額と収納先の各情報を記憶部に格納する処理と、
所定の入力手段を介し受け付けた前記納付書の提出者に関する識別情報をキーに、ネットワーク上に存在する口座情報の管理装置にて、前記提出者に関する口座情報を取得して、該当口座を出金口座とし、記憶部における前記収納金額の合計値を入金額とした所定口座への収納処理を、ネットワーク上に存在する勘定系システムに指示する処理と、
前記勘定系システムにおける前記収納処理の終了後、前記記憶部に格納している各収納先の情報に基づいて、対応する収納機関の口座への前記所定口座からの該当収納金額に関する付け替えを行う処理とを実行する演算部と、
を備えることを特徴とする窓口収納システム。
【請求項２】
前記記憶部は、
前記収納処理に際して必要となる伝票のフォームデータを記憶しており、
前記演算部は、
前記収納処理に際し、前記伝票のフォームデータを記憶部から読み出し、前記提出者に関して得ている口座情報の少なくとも一部を、前記フォームデータの該当欄に設定し、該フォームデータを含む伝票出力指示を、ネットワーク上の所定の印字装置に通知する処理と、
伝票に押印された印影に対する読み取りを行う印影リーダーと通信し、前記印字装置にて出力され前記提出者が押印を行った前記伝票に関して前記印影リーダーで読み取られた印影データを取得し、該印影データと前記提出者の識別情報を含む照合要求を、ネットワーク上の所定の印鑑照合装置に送信して、前記印鑑照合装置からの照合結果を取得する処理とを実行し、
前記照合結果が、前記印影データに問題はないとのものである場合に、前記勘定系システムへの前記収納処理の指示を行うものであることを特徴とする請求項１に記載の窓口収納システム。
【請求項３】
各種データを格納する記憶部、および他装置と通信する通信部を備えた情報処理装置が、
窓口収納用の納付書に印字された所定コードのリーダーと通信して、該リーダーが読み取った複数納付書に関する各コードデータを取得し、各コードデータが示す少なくとも収納金額と収納先の各情報を記憶部に格納する処理と、
所定の入力手段を介し受け付けた前記納付書の提出者に関する識別情報をキーに、ネットワーク上に存在する口座情報の管理装置にて、前記提出者に関する口座情報を取得して、該当口座を出金口座とし、記憶部における前記収納金額の合計値を入金額とした所定口座への収納処理を、ネットワーク上に存在する勘定系システムに指示する処理と、
前記勘定系システムにおける前記収納処理の終了後、前記記憶部に格納している各収納先の情報に基づいて、対応する収納機関の口座への前記所定口座からの該当収納金額に関する付け替えを行う処理と、
を実行することを特徴とする窓口収納方法。
【請求項４】
各種データを格納する記憶部、および他装置と通信する通信部を備えた情報処理装置に、
窓口収納用の納付書に印字された所定コードのリーダーと通信して、該リーダーが読み取った複数納付書に関する各コードデータを取得し、各コードデータが示す少なくとも収納金額と収納先の各情報を記憶部に格納する処理と、
所定の入力手段を介し受け付けた前記納付書の提出者に関する識別情報をキーに、ネットワーク上に存在する口座情報の管理装置にて、前記提出者に関する口座情報を取得して、該当口座を出金口座とし、記憶部における前記収納金額の合計値を入金額とした所定口座への収納処理を、ネットワーク上に存在する勘定系システムに指示する処理と、
前記勘定系システムにおける前記収納処理の終了後、前記記憶部に格納している各収納先の情報に基づいて、対応する収納機関の口座への前記所定口座からの該当収納金額に関する付け替えを行う処理と、
を実行させることを特徴とする窓口収納プログラム。
【発明の詳細な説明】
【技術分野】
【０００１】
本発明は、窓口収納システム、窓口収納方法、および窓口収納プログラムに関するものであり、具体的には、納付書・払込書（以降、本願明細書では、納付書と称する）を介した窓口収納の処理を効率化し、作業ミス等の不具合を抑制する技術に関する。なお、本願明細書の窓口収納には、いわゆる公金収納も含まれる。
【背景技術】
【０００２】
各種税金や社会保障関連の納付金・電気などの各種払込金（以降、本願明細書では納付金・払込金を納付金と称する）など、いわゆる公金を含む収納が口座引落処理の他、納付書を介しても行われている。納付者は前記納付書を所定金融機関の窓口やコンビニエンスストア等にて提示し、指定された金額の納付手続きを行う。こうした、納付書を介した収納処理に関する技術がいくつか提案されている。例えば、店舗におけるキャッシュフローを向上させるとともに、運用コストを低減することができる取引決済方法、取引決済システムおよび取引決済装置（特許文献１参照）などが提案されている。
【先行技術文献】
【特許文献】
【０００３】
【特許文献１】特開２００２−１６９９６５号公報
【発明の概要】
【発明が解決しようとする課題】
【０００４】
納付書による窓口収納の窓口となった金融機関等では、納付者の納付書から回収した払込票について、担当者による手作業で例えば納付者毎の仕分けを行うと共に、電卓にて手入力をして納付金額を合計し、その合計金額での勘定処理を実行することになる。この場合、手作業で払込票を仕分けする手間や、電卓での手入力時による金額入力ミス、或いは同一の払込票を２重にカウントしてしまう等の問題が生じることがある。また、納付処理時における納付者からすれば、複数の納付書を同時に提出した場合、金融機関等の窓口での待ち時間が長くなり、利便性の低下を感じることも起こりうる。
【０００５】
そこで本発明の目的は、納付書を介した窓口収納の処理を効率化し、作業ミス等の不具合を抑制する技術を提供することにある。
【課題を解決するための手段】
【０００６】
上記課題を解決する本発明の窓口収納システムは、他装置と通信する通信部と、窓口収納用の納付書に印字された所定コードのリーダーと通信して、該リーダーが読み取った複数納付書に関する各コードデータを取得し、各コードデータが示す少なくとも収納金額と収納先の各情報を記憶部に格納する処理と、所定の入力手段を介し受け付けた前記納付書の提出者に関する識別情報をキーに、ネットワーク上に存在する口座情報の管理装置にて、前記提出者に関する口座情報を取得して、該当口座を出金口座とし、記憶部における前記収納金額の合計値を入金額とした所定口座への収納処理を、ネットワーク上に存在する勘定系システムに指示する処理と、前記勘定系システムにおける前記収納処理の終了後、前記記憶部に格納している各収納先の情報に基づいて、対応する収納機関の口座への前記所定口座からの該当収納金額に関する付け替えを行う処理とを実行する演算部と、を備えることを特徴とする。
【０００７】
また、本発明の窓口収納方法は、各種データを格納する記憶部、および他装置と通信する通信部を備えた情報処理装置が、窓口収納用の納付書に印字された所定コードのリーダーと通信して、該リーダーが読取った複数納付書に関する各コードデータを取得し、各コードデータが示す少なくとも収納金額と収納先の各情報を記憶部に格納する処理と、所定の入力手段を介し受け付けた前記納付書の提出者に関する識別情報をキーに、ネットワーク上に存在する口座情報の管理装置にて、前記提出者に関する口座情報を取得して、該当口座を出金口座とし、記憶部における前記収納金額の合計値を入金額とした所定口座への収納処理を、ネットワーク上に存在する勘定系システムに指示する処理と、前記勘定系システムにおける前記収納処理の終了後、前記記憶部に格納している各収納先の情報に基づいて、対応する収納機関の口座への前記所定口座からの該当収納金額に関する付け替えを行う処理と、を実行することを特徴とする。
【０００８】
また、本発明の窓口収納プログラムは、各種データを格納する記憶部、および他装置と通信する通信部を備えた情報処理装置に、窓口収納用の納付書に印字された所定コードのリーダーと通信して、該リーダーが読み取った複数納付書に関する各コードデータを取得し、各コードデータが示す少なくとも収納金額と収納先の各情報を記憶部に格納する処理と、所定の入力手段を介し受け付けた前記納付書の提出者に関する識別情報をキーに、ネットワーク上に存在する口座情報の管理装置にて、前記提出者に関する口座情報を取得して、該当口座を出金口座とし、記憶部における前記収納金額の合計値を入金額とした所定口座への収納処理を、ネットワーク上に存在する勘定系システムに指示する処理と、前記勘定系システムにおける前記収納処理の終了後、前記記憶部に格納している各収納先の情報に基づいて、対応する収納機関の口座への前記所定口座からの該当収納金額に関する付け替えを行う処理と、を実行させることを特徴とする。
【発明の効果】
【０００９】
本発明によれば、納付書を介した窓口収納の処理を効率化し、作業ミス等の不具合を抑制することが可能となる。
【図面の簡単な説明】
【００１０】
【図１】本実施形態の公金収納ステムを含むネットワーク構成図である。
【図２】本実施形態における公金収納方法の処理手順例を示すフロー図である。
【図３】本実施形態における画面遷移例を示す説明図である。
【図４】本実施形態の納付書別取り扱いテーブルを示す図である。
【図５】本実施形態におけるバーコード表を用いた例を説明するための模式図である。
【発明を実施するための形態】
【００１１】
−−−ネットワーク構成−−−
以下に本発明の実施形態について図面を用いて詳細に説明する。図１は、本実施形態の公金収納システムを含むネットワーク構成図である。図１に示す公金収納システムであるセンタサーバ１００（以下、サーバ１００）は、納付書を介した公金収納の処理を効率化し、作業ミス等の不具合を抑制するコンピュータシステムである。本実施形態では、一例として公金収納処理の機能をＷｅｂサービスとして営業店端末１５０に提供する例を想定している。そのため、前記センタサーバ１００は、金融機関の営業店等に備わる営業店端末１５０とネットワーク１２０を介して通信可能に接続されたサーバ装置となる。センタサーバ１００は金融機関内の所定施設にて管理されている。なお、本実施形態では、公金収納を窓口収納の一例として説明しているが、電気料金など他の料金の収納への適用、つまり、公金収納を含む窓口収納への適用が可能である。つまり、以下の記載においては、公金収納を窓口収納に読み替えが可能である（（例：公金収納システムを窓口収納システムへ）
前記営業店端末１５０は、公金収納用の納付書に印字されているコード（例えば、各種バーコード、ＱＲコード等）の読み取りを行うバーコードリーダ２００と接続され、当該バーコードリーダ２００のコントロールを行う。また、前記営業店端末１５０は、プリンタ等の印字装置４００、伝票に捺印されている印影の読み取りを行う印影リーダー５５０と接続されており、印字装置４００や印影リーダー５５０のコントロールを行う。
【００１２】
また、前記ネットワーク１２０には、金融機関における顧客口座の各種情報等を基幹データベース３１５で管理する基幹システム３００、顧客口座における入出金、振り込み、振り替え等の各種勘定処理を担う勘定系システム３２０、顧客の提示した各種書類、伝票、通帳などに捺印されている印影を読み取ってその正当性を確認する印鑑照合装置５００も接続されている。
【００１３】
更に、前記センタサーバ１００は、納付書発行機関である収納機関が管理する収納機関サーバ６００とネットワーク１２１を介して接続されている。また、前記営業店端末１５０がコンビニエンスストアの端末である場合、当該営業店端末１５０は、例えばコンビニネットワークを介して前記収納機関サーバ６００と結ばれている。収納機関は、納付書発行を受託した契約先すなわち公的機関、或いは、そうした公的機関と所定の契約を結んだ金融機関との間で納付書発行の契約を交わしており、契約内容に応じて納付書を発行し、該当納付書に必要な情報をバーコード化して納付書上に印字する作業を行っている。
【００１４】
続いて、前記サーバ１００のハードウェア構成について説明しておく。前記サーバ１００は、ハードディスクドライブなど適宜な不揮発性記憶装置で構成される記憶部１０１、ＲＡＭなど揮発性記憶装置で構成されるメモリ１０３、前記記憶部１０１に保持されるプログラム１０２をメモリ１０３に読み出すなどして実行し装置自体の統括制御を行なうとともに各種判定、演算及び制御処理を行なうＣＰＵなどの演算部１０４、ネットワーク１２０、１２１と接続し他装置との通信処理を担う通信部１０５、を備える。なお、記憶部１０１内には、本実施形態の公金収納システムとして必要な機能を実装する為のプログラム１０２と、納付書別取り扱いテーブル１２５、公金収納関連テーブル１２６、伝票フォームデータ１２７が記憶されている。
【００１５】
続いて、本実施形態の公金収納サーバ１００が備える機能について説明する。上述したように、以下に説明する機能は、例えば公金収納サーバ１００が備えるプログラム１０２を実行することで実装される機能と言える。前記サーバ１００は、公金収納用の納付書に印字された所定コードのリーダーすなわち前記バーコードリーダ２００（を制御する営業店端末１５０）と通信部１０５を介して通信して、該バーコードリーダ２００が読み取った複数納付書（同じ提出者によりまとめて提出された複数の納付書）に関する各コードデータを取得し、各コードデータが示す少なくとも収納金額と収納先の各情報を記憶部１０１の公金収納関連テーブル１２６に格納する機能を備えている。
【００１６】
また前記サーバ１００は、例えばキャッシュカードや通帳のリーダなど、所定の入力手段（営業店端末１５０を介して前記サーバ１００が通信可能である）を介し受け付けた前記納付書の提出者に関する識別情報をキーに、ネットワーク上に存在する基幹システム３００（口座情報の管理装置）にて、前記提出者に関する口座情報を取得して、該当口座を出金口座とし、記憶部１０１における前記収納金額の合計値を入金額とした所定口座（例：別段口取）への収納処理を、ネットワーク上に存在する勘定系システム３２０に指示する機能を備えている。
【００１７】
また前記サーバ１００は、前記勘定系システム３２０における前記収納処理の終了後、前記記憶部１０１に格納している各収納先の情報（収納機関の情報となる）に基づいて、対応する収納機関の口座への前記所定口座たる別段口取からの該当収納金額に関する付け替えを行う機能を備えている。
【００１８】
なお、前記サーバ１００は、前記収納処理に際して必要となる伝票のフォームデータ１２７を記憶部１０１に記憶しているとすると好適である。この場合、前記サーバ１００は、前記収納処理に際し、伝票フォームデータ１２７を記憶部１０１から読み出し、前記提出者に関して得ている口座情報の少なくとも一部を、前記伝票フォームデータ１２７の該当欄に設定し、該伝票フォームデータ１２７を含む伝票出力指示を、ネットワーク上の所定の印字装置４００（をコントロールする営業店端末１５０）に通知する機能を備えている。
【００１９】
また前記サーバ１００は、伝票に押印された印影に対する読み取りを行う前記印影リーダー５５０と（営業店端末１５０を介して）通信し、前記印字装置４００にて出力され前記提出者が押印を行った前記伝票に関して前記印影リーダー５５０で読み取られた印影データを取得し、該印影データと前記提出者の識別情報を含む照合要求を、ネットワーク上の前記印鑑照合装置５００に送信して、前記印鑑照合装置５００からの照合結果を取得する機能を備えている。また前記サーバ１００は、前記印鑑照合装置５００から得た照合結果が、前記印影データに問題はないとのものである場合に、前記勘定系システム３２０への前記収納処理の指示を行うものである。
【００２０】
−−−処理手順例−−−
以下、本実施形態における公金収納方法の実際手順について図に基づき説明する。以下で説明する公金収納方法に対応する各種動作は、前記サーバ１００がメモリ等に読み出して実行するプログラムによって実現される。そして、このプログラムは、以下に説明される各種の動作を行うためのコードから構成されている。
【００２１】
図２は、本実施形態における公金収納方法の処理手順例を示すフロー図であり、図３は、本実施形態における画面遷移例を示す説明図である。ここでは、例えば公共料金や税金を金融機関の営業店窓口で払い込みする顧客が、複数種類の納付書を前記営業店窓口に提出した状況を想定する。また、前記営業店窓口に備わる営業店端末１５０は、ネットワーク１２０を介して前記サーバ１００にアクセスしており、前記サーバ１００が提供する公金収納処理のサービス画面をディスプレイに表示し、営業店窓口の担当者による操作待ち状態となっている。
【００２２】
ここで営業店端末１５０は、担当者の指示をマウスやキーボードなどの入力装置で受けて、バーコードリーダ２００による前記複数種類の納付書に対する読み取り処理を実行する（ｓ１００）。営業店端末１５０は、バーコードリーダ２００が前記複数種類の納付書のバーコードから読み取ったコードデータを取得し、これをネットワーク１２０を介して前記サーバ１００にアップロードする（ｓ１０１）。
【００２３】
なお、営業店端末１５０は、前記バーコードリーダ２００による納付書に対する読み取り処理にあたり、取得したコードデータが示す契約先情報を、図４に示す納付書別取り扱いテーブル１２５に照合し、予め定めた契約先すなわち収納機関であるか否か判定するとしてもよい。
【００２４】
図４の納付書別取り扱いテーブル１２５の場合、納付書にバーコードが印字されている場合のパターンを１〜４まで定めており、そのうち、前記納付書の発行機関である収納機関（Ａ社）、およびこのＡ社と契約を結んだ他金融機関のＢ社の少なくともいずれかであるパターンを３パターン、そのどちらでもない状況に対応したパターンを１パターン、定めている。納付書のバーコードがパターン１〜３のいずれかである場合、すなわち対象の納付書が前記Ａ社、Ｂ社の少なくともいずれかに関連づけられた納付書である場合に、前記営業店端末１５０は前記ステップｓ１０１を実行し、以降の処理を進めることになる。
【００２５】
また、営業店端末１５０は、前記バーコードリーダ２００による納付書に対する読み取り処理にあたり、バーコードリーダ２００によるバーコード読み取りに失敗した納付書が存在した場合、或いは、バーコードが印字されていない納付書について担当者からの指示があった場合、前記納付書別取り扱いテーブル１２５のパターン４〜６に該当する納付書であると判断し、納付金額や納付先の情報について手入力を行うようディスプレイに表示するとしてもよい。なお、バーコードなしパターン５については、手入力でなく、予め複数の納付金額や納付先が記録されたバーコード表７００を用意しておき、これをオペレータの操作等で対応するバーコードをバーコードリーダ２０１が読取るようにして、効率化を図ってもよい。なお、このバーコード表を用いる模式図を、図５に示す。この図５では、バーコードリーダ２０１をバーコードリーダ２００と別物として記載したが、バーコードリーダ２００ないし２０１の一方を用いてもよい。また、図５ではバーコード表７００を１枚の表(シート)として記載したが、納付金額や納付先毎に別のシートとしてもよい。
【００２６】
一方、前記サーバ１００は、前記バーコードリーダ２００を制御する営業店端末１５０と通信部１０５を介して通信して、前記バーコードリーダ２００が読み取った複数納付書（同じ提出者によりまとめて提出された複数の納付書）に関する各コードデータを取得し、各コードデータが示す少なくとも収納金額と収納先の各情報を記憶部１０１の公金収納関連テーブル１２６に格納する（ｓ１０２）。
【００２７】
また前記サーバ１００は、例えばキャッシュカードや通帳のリーダなど、所定の入力手段（営業店端末１５０を介して前記サーバ１００が通信可能である）を介し受け付けた前記納付書の提出者に関する識別情報をキーに、ネットワーク上に存在する基幹システム３００（口座情報の管理装置）にて、前記提出者に関する口座情報を取得する（ｓ１０３）。
【００２８】
続いて前記サーバ１００は、入金伝票、出金伝票に関する伝票フォームデータ１２７を記憶部１０１から読み出し、前記提出者に関して得ている口座情報の少なくとも一部（例：口座名義人、金額など）を、前記伝票フォームデータ１２７の該当欄に設定し、該伝票フォームデータ１２７を含む伝票出力指示を、ネットワーク上の所定の印字装置４００（をコントロールする営業店端末１５０）に通知する（ｓ１０４）。
【００２９】
他方、印字装置４００は前記通知に応じて伝票のプリントアウトを実行する（ｓ１０５）。前記担当者はプリントアウトされた伝票を前記提出者に渡し、所定欄に捺印するよう促すことになる。提出者が捺印を行った伝票については、前記担当者が営業店端末１５０を操作して、印影リーダー５５０による印影読み取りがなされる。印影リーダー５５０は伝票上に捺印されている印影を読み取り、その印影データを営業店端末１５０を介して前記サーバ１００に送る（ｓ１０６）。
【００３０】
一方、前記サーバ１００は、前記印影リーダー５５０と（営業店端末１５０を介して）通信し、前記伝票に関して前記印影リーダー５５０で読み取られた印影データを取得し、該印影データと前記提出者の識別情報（前記ステップｓ１０３で取得済み）を含む照合要求を、ネットワーク上の前記印鑑照合装置５００に送信して、前記印鑑照合装置５００からの照合結果を取得する（ｓ１０７）。
【００３１】
前記サーバ１００は、前記印鑑照合装置５００から得た照合結果が、前記印影データに問題はないとのものである場合（ｓ１０８：ＯＫ）、前記ステップｓ１０３で得ている口座情報が示す該当口座を出金口座とし、記憶部１０１における前記収納金額の合計値を入金額とした所定口座（例：別段口取）への収納処理を、ネットワーク上に存在する勘定系システム３２０に指示する（ｓ１０９）。他方、前記印鑑照合装置５００から得た照合結果が、前記印影データに問題があったとのものである場合（ｓ１０８：ＮＧ）、前記サーバ１００は処理を終了する。
【００３２】
なお、前記サーバ１００は、前記ステップｓ１０３の実行に先立ち、公金収納を前記提出者の口座からの振り替えにより行わず、現金によって行うとの指示を、営業店端末１５０から受けていた場合（当然、営業店窓口の担当者が前記提出者から現金による公金収納の指示を受け、営業店端末１５０にてその旨の指示を入力している）、営業店端末１５０に接続した所定キャッシャでの、前記収納金額の合計値に合致する現金の受領処理に応じ、前記収納金額の合計値を入金額とした所定口座（例：別段口取）への収納処理を、ネットワーク上に存在する勘定系システム３２０に指示することとなる。
【００３３】
また前記サーバ１００は、前記勘定系システム３２０における前記収納処理の終了後、前記記憶部１０１に格納している各収納先の情報（収納機関の情報となる）に基づいて、対応する収納機関（上記例におけるＡ社、或いはＢ社）の口座への前記所定口座たる別段口取からの該当収納金額に関する付け替えを行い（ｓ１１０）、処理を終了する。なお、こうして処理が終了した納付書については、１ヶ月毎など所定期間毎に該当収納機関当てに送付されることになる。
【００３４】
以上、本発明を実施するための最良の形態などについて具体的に説明したが、本発明はこれに限定されるものではなく、その要旨を逸脱しない範囲で種々変更可能である。
【００３５】
こうした本実施形態によれば、納付書に印字されたバーコードに基づき、システム側で収納金額を特定してその仕分けを簡略化し、入力ミス等も抑制できる。よって、金融機関等での窓口作業を削減することもできる。また、納付を行うエンドユーザとしても、納付書を金融機関等の窓口に複数持込んで納付処理を行う際、その待ち時間が従来より削減され、満足度も高まる。
【００３６】
従って、納付書を介した公金収納の処理を効率化し、作業ミス等の不具合を抑制することが可能となる。
【００３７】
本明細書（発明を実施するための形態の欄）の記載により、少なくとも次のことが明らかにされる。すなわち、前記公金収納システムにおいて、前記記憶部は、前記収納処理に際して必要となる伝票のフォームデータを記憶しており、前記演算部は、前記収納処理に際し、前記伝票のフォームデータを記憶部から読み出し、前記提出者に関して得ている口座情報の少なくとも一部を、前記フォームデータの該当欄に設定し、該フォームデータを含む伝票出力指示を、ネットワーク上の所定の印字装置に通知する処理と、伝票に押印された印影に対する読み取りを行う印影リーダーと通信し、前記印字装置にて出力され前記提出者が押印を行った前記伝票に関して前記印影リーダーで読み取られた印影データを取得し、該印影データと前記提出者の識別情報を含む照合要求を、ネットワーク上の所定の印鑑照合装置に送信して、前記印鑑照合装置からの照合結果を取得する処理とを実行し、前記照合結果が、前記印影データに問題はないとのものである場合に、前記勘定系システムへの前記収納処理の指示を行うものであるとしてもよい。
【符号の説明】
【００３８】
１００  センタサーバ（公金収納システム）
１０１  記憶部
１０２  プログラム
１０３  メモリ
１０４  演算部
１０５  通信部
１２０、１２１  ネットワーク
１２５  納付書別取り扱いテーブル
１２６  公金収納関連テーブル
１２７  伝票フォームデータ
１５０  営業店端末
２００  バーコードリーダ
３００  基幹システム（口座情報の管理装置）
３１５  基幹データベース
３２０  勘定系システム
４００  印字装置
５００  印鑑照合装置
５５０  印影リーダー
６００  収納機関サーバ
７００  バーコード表
【図１】
2014026342.tif 000003
【図２】
2014026342.tif 000004
【図３】
2014026342.tif 000005
【図４】
2014026342.tif 000006
【図５】
2014026342.tif 000007